(57)【特許請求の範囲】
【請求項１】
被写体を撮像する撮像領域を具備する撮像素子と、
前記撮像素子の全撮像領域のうち、第１撮像領域による被写体の撮像により逐次生成される画像データを動画像データとして逐次記録させていく動画像記録制御手段と、
前記動画像記録制御手段による前記動画像データの記録動作中の任意のタイミングで、前記撮像素子の全撮像領域のうち、前記第１撮像領域よりも狭い第２撮像領域により撮像される前記被写体内の主要被写体の画像の記録指示をユーザーに入力させる画像記録指示入力手段と、
前記動画像記録制御手段による前記動画像データの記録動作中に、前記第１撮像領域により逐次生成される画像データに基づいて、前記全撮像領域の中で前記第２撮像領域の位置及び寸法を逐次変化させる第２撮像領域設定手段と、
前記画像記録指示入力手段による前記記録指示の入力に応じて、この入力タイミングで前記第２撮像領域設定手段により設定されている前記第２撮像領域の位置及び寸法で、該第２撮像領域による前記主要被写体の撮像により生成された画像データを記録させる主要被写体画像記録制御手段と、
前記動画像記録制御手段による動画像データの記録に際し、前記主要被写体画像記録制御手段による画像データの記録時と比較して、よりデータ量の削減率の高いデータ量削減処理を施すか、或いは、前記主要被写体画像記録制御手段により記録される画像データに対して前記データ量削減処理を施さず、且つ、前記動画像記録制御手段により記録される動画像データに対して所定のデータ量の削減率のデータ量削減処理を施すデータ量削減制御手段と、
を備えることを特徴とする撮像装置。
【請求項２】
前記第２撮像領域設定手段の動作により逐次変化している前記第２撮像領域の位置及び寸法を示す枠を逐次表示手段に表示させる表示制御手段を更に備えたことを特徴とする請求項１に記載の撮像装置。
【請求項３】
前記第１撮像領域により逐次生成される画像データに基づいて、前記主要被写体を逐次特定する主要被写体特定手段を備え、
前記第２撮像領域設定手段は、前記主要被写体特定手段により逐次特定される前記主要被写体の位置に対応させて前記第２撮像領域の位置を逐次変化させ、及び／又は、前記主要被写体の寸法に対応させて前記第２撮像領域の寸法を逐次変化させることを特徴とする請求項１または２に記載の撮像装置。
【請求項４】
前記被写体内の顔を逐次検出する顔検出手段を備え、
前記主要被写体特定手段は、前記顔検出手段により逐次検出される顔に基づいて前記主要被写体を逐次特定することを特徴とする請求項３に記載の撮像装置。
【請求項５】
前記第１撮像領域により逐次生成される複数の画像データに基づいて、前記主要被写体特定手段により特定された前記主要被写体を追跡する主要被写体追跡手段を備え、
前記第２撮像領域設定手段は、前記主要被写体追跡手段により追跡される前記主要被写体の位置に対応させて前記第２撮像領域の位置を逐次変化させ、及び／又は、前記主要被写体の寸法に対応させて前記第２撮像領域の寸法を逐次変化させることを特徴とする請求項３又は４に記載の撮像装置。
【請求項６】
前記主要被写体特定手段により特定された複数の前記主要被写体のうち、一の主要被写体の選択指示を入力する選択指示入力手段を備えることを特徴とする請求項３〜５の何れか一項に記載の撮像装置。
【請求項７】
前記撮像素子の全撮像領域の中で前記第１撮像領域の位置または寸法を設定する第１撮像領域設定手段を更に備えることを特徴とする請求項１〜６の何れか一項に記載の撮像装置。
【請求項８】
前記データ量削減処理は、前記撮像素子により撮像して得られる画像データから所定量のデータを間引いてデータ量を削減することを特徴とする請求項１〜６の何れか一項に記載の撮像装置。
【請求項９】
前記データ量削減処理は、前記撮像素子により撮像して得られる画像データを圧縮してデータ量を削減することを特徴とする請求項１〜６の何れか一項に記載の撮像装置。
【請求項１０】
前記第１撮像領域は、前記撮像素子の全撮像領域に対応する固定領域であることを特徴とする請求項１〜６の何れか一項に記載の撮像装置。
【請求項１１】
被写体を撮像する撮像領域を具備する撮像素子を備える撮像装置に、
前記撮像素子の全撮像領域のうち、第１撮像領域による被写体の撮像により逐次生成される画像データを動画像データとして逐次記録させていく機能と、
前記動画像データの記録動作中の任意のタイミングで、前記撮像素子の全撮像領域のうち、前記第１撮像領域よりも狭い第２撮像領域により撮像される前記被写体内の主要被写体の画像の記録指示をユーザーに入力させる機能と、
前記動画像データの記録動作中に、前記第１撮像領域により逐次生成される画像データに基づいて、前記全撮像領域の中で前記第２撮像領域の位置及び寸法を逐次変化させる機能と、
前記ユーザーによる記録指示の入力に応じて、前記第２撮像領域による前記主要被写体の撮像により生成された画像データを記録させる機能と、
前記動画像データの記録に際し、前記主要被写体に係る画像データの記録時と比較して、よりデータ量の削減率の高いデータ量削減処理を施すか、或いは、前記主要被写体に係る画像データに対して前記データ量削減処理を施さず、且つ、前記動画像データに対して所定のデータ量の削減率のデータ量削減処理を施す機能と、
を実現させることを特徴とするプログラム。
【請求項１２】
被写体を撮像する撮像領域を具備する撮像素子と、
前記撮像素子の全撮像領域のうち、第１撮像領域による被写体の撮像により逐次生成される画像データを動画像データとして逐次記録させていく動画像記録制御手段と、
前記動画像記録制御手段による前記動画像データの記録動作中の任意のタイミングで、前記撮像素子の全撮像領域のうち、前記第１撮像領域よりも狭い第２撮像領域により撮像される前記被写体内の主要被写体の画像の記録指示をユーザーに入力させる画像記録指示入力手段と、
前記第１撮像領域により生成された画像データに基づいて、前記被写体内の顔を検出する顔検出手段と、
前記顔検出手段により検出された顔に基づいて前記主要被写体を特定する主要被写体特定手段と、
前記主要被写体特定手段により特定された複数の前記主要被写体のうち、一の主要被写体の選択指示を入力する選択指示入力手段と、
前記第１撮像領域により生成された複数の画像データに基づいて、前記選択指示入力手段により選択された前記主要被写体を追跡する主要被写体追跡手段と、
前記動画像記録制御手段による前記動画像データの記録動作中に、前記全撮像領域の中で、前記選択指示入力手段により選択され、前記主要被写体追跡手段により追跡される前記主要被写体の位置に対応させて前記第２撮像領域の位置を変化させ、かつ、前記主要被写体の寸法に対応させて前記第２撮像領域の寸法を変化させる第２撮像領域設定手段と、
前記画像記録指示入力手段による前記記録指示の入力に応じて、この入力タイミングで前記第２撮像領域設定手段により設定されている前記第２撮像領域の位置及び寸法で、該第２撮像領域による前記主要被写体の撮像により生成された画像データを記録させる主要被写体画像記録制御手段と、
前記動画像記録制御手段による動画像データの記録に際し、前記主要被写体画像記録制御手段による画像データの記録時と比較して、よりデータ量の削減率の高いデータ量削減処理を施すか、或いは、前記主要被写体画像記録制御手段により記録される画像データに対して前記データ量削減処理を施さず、且つ、前記動画像記録制御手段により記録される動画像データに対して所定のデータ量の削減率のデータ量削減処理を施すデータ量削減制御手段と、
を備えることを特徴とする撮像装置。
【請求項１３】
被写体を撮像する撮像素子を備えた撮像装置のコンピュータを、
前記撮像素子の全撮像領域のうち、第１撮像領域による被写体の撮像により逐次生成される画像データを動画像データとして逐次記録させていく動画像記録制御手段と、
前記動画像記録制御手段による前記動画像データの記録動作中の任意のタイミングで、前記撮像素子の全撮像領域のうち、前記第１撮像領域よりも狭い第２撮像領域により撮像される前記被写体内の主要被写体の画像の記録指示をユーザーに入力させる画像記録指示入力手段と、
前記第１撮像領域により生成された画像データに基づいて、前記被写体内の顔を検出する顔検出手段と、
前記顔検出手段により検出された顔に基づいて前記主要被写体を特定する主要被写体特定手段と、
前記主要被写体特定手段により特定された複数の前記主要被写体のうち、一の主要被写体の選択指示を入力する選択指示入力手段と、
前記第１撮像領域により生成された複数の画像データに基づいて、前記選択指示入力手段により選択された前記主要被写体を追跡する主要被写体追跡手段と、
前記動画像記録制御手段による前記動画像データの記録動作中に、前記全撮像領域の中で、前記選択指示入力手段により選択され、前記主要被写体追跡手段により追跡される前記主要被写体の位置に対応させて前記第２撮像領域の位置を変化させ、かつ、前記主要被写体の寸法に対応させて前記第２撮像領域の寸法を変化させる第２撮像領域設定手段と、
前記画像記録指示入力手段による前記記録指示の入力に応じて、この入力タイミングで前記第２撮像領域設定手段により設定されている前記第２撮像領域の位置及び寸法で、該第２撮像領域による前記主要被写体の撮像により生成された画像データを記録させる主要被写体画像記録制御手段と、
前記動画像記録制御手段による動画像データの記録に際し、前記主要被写体画像記録制御手段による画像データの記録時と比較して、よりデータ量の削減率の高いデータ量削減処理を施すか、或いは、前記主要被写体画像記録制御手段により記録される画像データに対して前記データ量削減処理を施さず、且つ、前記動画像記録制御手段により記録される動画像データに対して所定のデータ量の削減率のデータ量削減処理を施すデータ量削減制御手段と、
して機能させることを特徴とするプログラム。
【発明の詳細な説明】
【技術分野】
【０００１】
本発明は、動画像を撮像する撮像装置及びプログラムに関する。
【背景技術】
【０００２】
従来、動画像と静止画像の両方を同時に撮影することができるカメラが知られている。このカメラにあっては、静止画像はより広い範囲を詳細に撮影記録するために、撮像素子より得られる全画素をそのまま記録するが、動画像はより長時間の撮影記録を可能とするために、撮像素子より得られる全画素の中でより狭い範囲だけを記録したり（例えば、特許文献１参照。）、画素を間引いて記録するようにした技術（例えば、特許文献２参照。）が知られている。
【特許文献１】特開２００７−３６８８２号公報
【特許文献２】特開２００７−１５０４３９号公報
【発明の開示】
【発明が解決しようとする課題】
【０００３】
ところで、例えば、子供の運動会で徒競走を撮影する場合、初めは全体の状況がわかるように広い画角で動画撮影を行うが、子供がゴールした瞬間の顔の表情を捕らえるためには、ゴール手前でズーム倍率を上げるとともに、カメラのレンズを子供の方に向け直す必要があった。
しかしながら、上記の場合には、ゴールした瞬間の子供の顔の表情は捕らえることができても、他の子供と競い合ってゴールする瞬間の全体像を捕らえることはできなかった。この場合に、常により広い画角で画像データを間引かずに記録すれば、子供がゴールする瞬間の全体像を捕らえることは可能となるが、動画像の長時間記録ができなくなるという問題が生じてしまう。
また、上記特許文献１等の技術を適用しても、動画像の長時間記録を行いつつ、ゴールした瞬間の子供の顔の表情とゴールする瞬間の全体像を同時に撮影することはできなかった。
【０００４】
そこで、本発明の課題は、より広い撮影範囲を大まかに動画撮影している際に、より狭い撮影範囲の詳細な画像データを記録することができる撮像装置及びプログラムを提供することである。
【課題を解決するための手段】
【０００５】
請求項１に記載の発明の撮像装置は、被写体を撮像する撮像領域を具備する撮像素子と、前記撮像素子の全撮像領域のうち、第１撮像領域による被写体の撮像により逐次生成される画像データを動画像データとして逐次記録させていく動画像記録制御手段と、前記動画像記録制御手段による前記動画像データの記録動作中の任意のタイミングで、前記撮像素子の全撮像領域のうち、前記第１撮像領域よりも狭い第２撮像領域により撮像される前記被写体内の主要被写体の画像の記録指示をユーザーに入力させる画像記録指示入力手段と、前記動画像記録制御手段による前記動画像データの記録動作中に、前記第１撮像領域により逐次生成される画像データに基づいて、前記全撮像領域の中で前記第２撮像領域の位置及び寸法を逐次変化させる第２撮像領域設定手段と、前記画像記録指示入力手段による前記記録指示の入力に応じて、この入力タイミングで前記第２撮像領域設定手段により設定されている前記第２撮像領域の位置及び寸法で、該第２撮像領域による前記主要被写体の撮像により生成された画像データを記録させる主要被写体画像記録制御手段と、前記動画像記録制御手段による動画像データの記録に際し、前記主要被写体画像記録制御手段による画像データの記録時と比較して、よりデータ量の削減率の高いデータ量削減処理を施すか、或いは、前記主要被写体画像記録制御手段により記録される画像データに対して前記データ量削減処理を施さず、且つ、前記動画像記録制御手段により記録される動画像データに対して所定のデータ量の削減率のデータ量削減処理を施すデータ量削減制御手段と、を備えることを特徴としている。
【０００６】
請求項２記載の発明は更に、前記第２撮像領域設定手段の動作により逐次変化している前記第２撮像領域の位置及び寸法を示す枠を逐次表示手段に表示させる表示制御手段を更に備えたことを特徴としている。
【０００７】
請求項３記載の発明は更に、前記第１撮像領域により逐次生成される画像データに基づいて、前記主要被写体を逐次特定する主要被写体特定手段を備え、前記第２撮像領域設定手段は、前記主要被写体特定手段により逐次特定される前記主要被写体の位置に対応させて前記第２撮像領域の位置を逐次変化させ、及び／又は、前記主要被写体の寸法に対応させて前記第２撮像領域の寸法を逐次変化させることを特徴としている。
【０００８】
請求項４記載の発明は更に、前記被写体内の顔を逐次検出する顔検出手段を備え、前記主要被写体特定手段は、前記顔検出手段により逐次検出される顔に基づいて前記主要被写体を逐次特定することを特徴としている。
【０００９】
請求項５記載の発明は更に、前記第１撮像領域により逐次生成される複数の画像データに基づいて、前記主要被写体特定手段により特定された前記主要被写体を追跡する主要被写体追跡手段を備え、前記第２撮像領域設定手段は、前記主要被写体追跡手段により追跡される前記主要被写体の位置に対応させて前記第２撮像領域の位置を逐次変化させ、及び／又は、前記主要被写体の寸法に対応させて前記第２撮像領域の寸法を逐次変化させることを特徴としている。
【００１０】
請求項６記載の発明は更に、前記主要被写体特定手段により特定された複数の前記主要被写体のうち、一の主要被写体の選択指示を入力する選択指示入力手段を備えることを特徴としている。
【００１１】
請求項７記載の発明は更に、前記撮像素子の全撮像領域の中で前記第１撮像領域の位置または寸法を設定する第１撮像領域設定手段を更に備えることを特徴としている。
【００１２】
請求項８記載の発明は更に、前記データ量削減処理は、前記撮像素子により撮像して得られる画像データから所定量のデータを間引いてデータ量を削減することを特徴としている。
【００１３】
請求項９記載の発明は更に、前記データ量削減処理は、前記撮像素子により撮像して得られる画像データを圧縮してデータ量を削減することを特徴としている。
【００１４】
請求項１０記載の発明は更に、前記第１撮像領域は、前記撮像素子の全撮像領域に対応する固定領域であることを特徴としている。
【００１５】
請求項１１記載の発明のプログラムは、被写体を撮像する撮像領域を具備する撮像素子を備える撮像装置に、前記撮像素子の全撮像領域のうち、第１撮像領域による被写体の撮像により逐次生成される画像データを動画像データとして逐次記録させていく機能と、前記動画像データの記録動作中の任意のタイミングで、前記撮像素子の全撮像領域のうち、前記第１撮像領域よりも狭い第２撮像領域により撮像される前記被写体内の主要被写体の画像の記録指示をユーザーに入力させる機能と、前記動画像データの記録動作中に、前記第１撮像領域により逐次生成される画像データに基づいて、前記全撮像領域の中で前記第２撮像領域の位置及び寸法を逐次変化させる機能と、前記ユーザーによる記録指示の入力に応じて、前記第２撮像領域による前記主要被写体の撮像により生成された画像データを記録させる機能と、前記動画像データの記録に際し、前記主要被写体に係る画像データの記録時と比較して、よりデータ量の削減率の高いデータ量削減処理を施すか、或いは、前記主要被写体に係る画像データに対して前記データ量削減処理を施さず、且つ、前記動画像データに対して所定のデータ量の削減率のデータ量削減処理を施す機能と、を実現させることを特徴としている。
請求項１２記載の発明の撮像装置は、被写体を撮像する撮像領域を具備する撮像素子と、前記撮像素子の全撮像領域のうち、第１撮像領域による被写体の撮像により逐次生成される画像データを動画像データとして逐次記録させていく動画像記録制御手段と、前記動画像記録制御手段による前記動画像データの記録動作中の任意のタイミングで、前記撮像素子の全撮像領域のうち、前記第１撮像領域よりも狭い第２撮像領域により撮像される前記被写体内の主要被写体の画像の記録指示をユーザーに入力させる画像記録指示入力手段と、前記第１撮像領域により生成された画像データに基づいて、前記被写体内の顔を検出する顔検出手段と、前記顔検出手段により検出された顔に基づいて前記主要被写体を特定する主要被写体特定手段と、前記主要被写体特定手段により特定された複数の前記主要被写体のうち、一の主要被写体の選択指示を入力する選択指示入力手段と、前記第１撮像領域により生成された複数の画像データに基づいて、前記選択指示入力手段により選択された前記主要被写体を追跡する主要被写体追跡手段と、前記動画像記録制御手段による前記動画像データの記録動作中に、前記全撮像領域の中で、前記選択指示入力手段により選択され、前記主要被写体追跡手段により追跡される前記主要被写体の位置に対応させて前記第２撮像領域の位置を変化させ、かつ、前記主要被写体の寸法に対応させて前記第２撮像領域の寸法を変化させる第２撮像領域設定手段と、前記画像記録指示入力手段による前記記録指示の入力に応じて、この入力タイミングで前記第２撮像領域設定手段により設定されている前記第２撮像領域の位置及び寸法で、該第２撮像領域による前記主要被写体の撮像により生成された画像データを記録させる主要被写体画像記録制御手段と、前記動画像記録制御手段による動画像データの記録に際し、前記主要被写体画像記録制御手段による画像データの記録時と比較して、よりデータ量の削減率の高いデータ量削減処理を施すか、或いは、前記主要被写体画像記録制御手段により記録される画像データに対して前記データ量削減処理を施さず、且つ、前記動画像記録制御手段により記録される動画像データに対して所定のデータ量の削減率のデータ量削減処理を施すデータ量削減制御手段と、を備えることを特徴としている。
請求項１３記載の発明のプログラムは、被写体を撮像する撮像素子を備えた撮像装置のコンピュータを、前記撮像素子の全撮像領域のうち、第１撮像領域による被写体の撮像により逐次生成される画像データを動画像データとして逐次記録させていく動画像記録制御手段と、前記動画像記録制御手段による前記動画像データの記録動作中の任意のタイミングで、前記撮像素子の全撮像領域のうち、前記第１撮像領域よりも狭い第２撮像領域により撮像される前記被写体内の主要被写体の画像の記録指示をユーザーに入力させる画像記録指示入力手段と、前記第１撮像領域により生成された画像データに基づいて、前記被写体内の顔を検出する顔検出手段と、前記顔検出手段により検出された顔に基づいて前記主要被写体を特定する主要被写体特定手段と、前記主要被写体特定手段により特定された複数の前記主要被写体のうち、一の主要被写体の選択指示を入力する選択指示入力手段と、前記第１撮像領域により生成された複数の画像データに基づいて、前記選択指示入力手段により選択された前記主要被写体を追跡する主要被写体追跡手段と、前記動画像記録制御手段による前記動画像データの記録動作中に、前記全撮像領域の中で、前記選択指示入力手段により選択され、前記主要被写体追跡手段により追跡される前記主要被写体の位置に対応させて前記第２撮像領域の位置を変化させ、かつ、前記主要被写体の寸法に対応させて前記第２撮像領域の寸法を変化させる第２撮像領域設定手段と、前記画像記録指示入力手段による前記記録指示の入力に応じて、この入力タイミングで前記第２撮像領域設定手段により設定されている前記第２撮像領域の位置及び寸法で、該第２撮像領域による前記主要被写体の撮像により生成された画像データを記録させる主要被写体画像記録制御手段と、前記動画像記録制御手段による動画像データの記録に際し、前記主要被写体画像記録制御手段による画像データの記録時と比較して、よりデータ量の削減率の高いデータ量削減処理を施すか、或いは、前記主要被写体画像記録制御手段により記録される画像データに対して前記データ量削減処理を施さず、且つ、前記動画像記録制御手段により記録される動画像データに対して所定のデータ量の削減率のデータ量削減処理を施すデータ量削減制御手段と、して機能させることを特徴としている。
【発明の効果】
【００１６】
本発明によれば、より広い撮影範囲を大まかに動画撮影している最中であっても、より狭い撮影範囲の詳細な画像データを記録することができる。
【発明を実施するための最良の形態】
【００１７】
以下に、本発明について、図面を用いて具体的な態様を説明する。ただし、発明の範囲は、図示例に限定されない。
【００１８】
［実施形態１］
図１は、本発明を適用した実施形態１の撮像装置１００の概略構成を示すブロック図である。
実施形態１の撮像装置１００は、電子撮像部１２の第１撮像領域Ａ１（図３（ａ）参照）による被写体の撮像により生成された画像データに対してデータ量削減処理を施した後、動画像データを生成して記録する際に、被写体内の主要被写体の静止画像の記録指示の入力に基づいて、電子撮像部１２の第１撮像領域Ａ１よりも狭い第２撮像領域Ａ２（図３（ｂ）参照）により主要被写体としての人物Ｈの静止画像データを生成して記録するものである。具体的には、図１に示すように、撮像装置１００は、撮像部１と、撮像補助部２と、表示部３、操作部４と、記録媒体５と、ＵＳＢ端子６と、制御部７等を備えて構成されている。
【００１９】
撮像部１は、撮像手段として、被写体を連続して撮像して複数の画像フレームを生成する。具体的には、撮像部１は、撮像レンズ１１と、電子撮像部１２と、映像信号処理部１３と、画像メモリ１４と、撮影制御部１５等を備えている。
【００２０】
撮像レンズ１１は、複数のレンズから構成されている。
電子撮像部１２は、撮像レンズ１１を通過した被写体像を二次元の画像信号に変換するＣＣＤ（Charge Coupled Device）やＣＭＯＳ（Complementary Metal-oxide Semiconductor）等から構成されている。また、電子撮像部１２は、第１撮像領域設定処理（後述）にて設定された第１撮像領域Ａ１（図３（ａ）参照）により被写体像を光電変換して動画像に係る画像信号を保持し、第２撮像領域設定処理（後述）にて設定された第２撮像領域Ａ２（図３（ｂ）参照）により主要被写体像を光電変換して静止画像に係る画像信号を保持する。
映像信号処理部１３は、電子撮像部１２から出力される画像信号に対して所定の画像処理を施すものである。
画像メモリ１４は、画像処理後の画像信号を一時的に記憶する。
【００２１】
撮影制御部１５は、ＣＰＵ７１の制御下にて、電子撮像部１２及び映像信号処理部１３を制御する。具体的には、撮影制御部１５は、電子撮像部１２に所定の露出時間で被写体を撮像させ、当該電子撮像部１２の撮像領域から画像信号（画像フレーム）を所定のフレームレートで読み出す処理の実行を制御する。
【００２２】
撮像補助部２は、撮像部１による被写体の撮像の際に駆動するものであり、フォーカス駆動部２１と、ズーム駆動部２２等を備えている。
【００２３】
フォーカス駆動部２１は、撮像レンズ１１に接続されたフォーカス機構部（図示略）を駆動させる。
ズーム駆動部２２は、撮像レンズ１１に接続されたズーム機構部（図示略）を駆動させる。
なお、フォーカス駆動部２１及びズーム駆動部２２は、撮影制御部１５に接続され、撮影制御部１５の制御下にて駆動する。
【００２４】
表示部３は、撮像部１により撮像された画像を表示するものであり、例えば、表示画面を撮像装置１００の背面側から露出させるように配設されている（図示略）。また、表示部３は、表示制御部３１と、画像表示部３２等を備えている。
【００２５】
表示制御部３１は、ＣＰＵ７１から適宜出力される表示データを一時的に保存するビデオメモリ（図示略）を備えている。
【００２６】
画像表示部３２は、表示制御部３１からの出力信号に基づいて撮像部１により撮像された画像等を表示画面に表示する。具体的には、画像表示部３２は、図２に示すように、電子撮像部１２の第１撮像領域Ａ１による被写体の撮像により生成された複数の画像フレームを逐次表示する。
また、画像表示部３２は、ＣＰＵ７１による第２撮像領域設定処理にて第２撮像領域Ａ２が設定されると、当該第２撮像領域Ａ２に対応する静止画像撮影枠Ｗを表示する（図２参照）。
【００２７】
操作部４は、当該撮像装置１００の所定操作を行うためのものであり、操作入力部４１と、入力回路４２等を備えている。
【００２８】
操作入力部４１は、シャッターボタン４１ａ、モード設定ボタン４１ｂ、選択決定用ボタン４１ｃ等を備えている。
【００２９】
シャッターボタン４１ａは、当該撮像装置１００のボディ上面に設けられ、撮像部１による被写体の撮像を指示する。また、シャッターボタン４１ａは、動画像データの記録の際にユーザにより押圧操作されることで、電子撮像部１２の第２撮像領域Ａ２により撮像される被写体内の主要被写体の静止画像の記録を指示する。そして、当該静止画像の記録指示が、入力回路４２を介して出力されてＣＰＵ７１に入力されると、ＣＰＵ７１は、静止画像記録処理（後述）を実行して、撮影制御部１５を制御して静止画像データの記録を行う。
ここで、シャッターボタン４１ａは、電子撮像部１２の第２撮像領域Ａ２により撮像される被写体内の主要被写体の画像の記録指示を入力する画像記録指示入力手段を構成している。
【００３０】
モード設定ボタン４１ｂは、例えば、当該撮像装置１００のボディ背面に設けられ、撮像装置１００の複数の動作モードの中で所定の動作モードの選択設定を指示する。
ここで、動作モードとしては、例えば、所定サイズの静止画像を撮影する通常撮影モードや、所定のフレームレートで動画像を撮影する動画撮影モード等が挙げられる。
そして、ユーザによりモード設定ボタン４１ｂが所定操作されて所定の動作モード（例えば、動画撮影モード等）が選択されると、当該動作モードの設定指示を入力回路４２を介してＣＰＵ７１に出力する。ＣＰＵ７１は、設定指示が入力されると、各部を制御して当該動作モードに応じた設定を行う。
【００３１】
選択決定用ボタン４１ｃは、例えば、当該撮像装置１００のボディ背面に設けられ、各種項目の選択を行う上下左右のカーソルボタンと、これらカーソルボタンの内側に設けられた決定ボタン等を備えている。
【００３２】
入力回路４２は、操作入力部４１から入力された操作信号をＣＰＵ７１に入力するためのものである。
【００３３】
記録媒体５は、例えば、カード型の不揮発性メモリ（フラッシュメモリ）やハードディスク等により構成され、撮像部１により撮像された動画像や静止画像の画像ファイルを複数記憶する。
【００３４】
ＵＳＢ端子６は、外部機器との接続用の端子であり、ＵＳＢケーブル（図示略）等を介してデータの送受信を行う。
【００３５】
制御部７は、撮像装置１００の各部を制御するものであり、例えば、ＣＰＵ７１と、プログラムメモリ７２と、データメモリ７３等を備えている。
【００３６】
ＣＰＵ７１は、プログラムメモリ７２に記憶された撮像装置１００用の各種処理プログラムに従って各種の制御動作を行うものである。
【００３７】
データメモリ７３は、例えば、フラッシュメモリ等により構成され、ＣＰＵ７１によって処理されるデータ等を一時記憶する。
【００３８】
プログラムメモリ７２は、ＣＰＵ７１の動作に必要な各種プログラムやデータを記憶するものである。具体的には、プログラムメモリ７２は、第１撮像領域設定プログラム７２ａ、データ量削減プログラム７２ｂ、動画像記録制御プログラム７２ｃ、顔検出プログラム７２ｄ、主要被写体特定プログラム７２ｅ、第２撮像領域設定プログラム７２ｆ、静止画像記録制御プログラム７２ｇ等を記憶している。
【００３９】
第１撮像領域設定プログラム７２ａは、ＣＰＵ７１を第１撮像領域設定手段として機能させるものである。即ち、第１撮像領域設定プログラム７２ａは、電子撮像部１２の全撮像領域の中で第１撮像領域Ａ１の位置及び寸法を設定する第１撮像領域設定処理に係る機能をＣＰＵ７１に実現させるためのプログラムである。具体的には、ＣＰＵ７１が第１撮像領域設定プログラム７２ａを実行することで、ユーザによる操作部４の所定操作に基づいて、電子撮像部１２の全撮像領域を第１撮像領域Ａ１として設定する。
【００４０】
データ量削減プログラム７２ｂは、ＣＰＵ７１をデータ量削減手段として機能させるものである。即ち、データ量削減プログラム７２ｂは、電子撮像部１２による被写体の撮像により生成された画像データのデータ量を削減するデータ量削減処理に係る機能をＣＰＵ７１に実現させるためのプログラムである。具体的には、ＣＰＵ７１がデータ量削減処理を実行することで、電子撮像部１２の第１撮像領域Ａ１により生成された連続する複数の画像フレームのうち、奇数番目の画像フレーム或いは偶数番目の画像フレームを選択して間引いたり、隣接する所定個数（例えば、４、９、１６等）の画素値を加算して１画素を生成することで、所定量のデータを間引いてデータ量を削減する処理を行う。これにより、例えば、電子撮像部１２の全ての画素（１０００万個の画素）から生成された画像データから、画角は変わらずに画素数が低減された（例えば、１００万個の画素程度の）画像データを生成する。
また、ＣＰＵ７１がデータ量削減処理を実行することで、電子撮像部１２の第１撮像領域Ａ１により生成された画像データに対して所定の動画圧縮処理を施して、当該画像データを圧縮してデータ量を削減する。これにより、例えば、一の画像フレームあたりのデータ量を１／５程度に削減する。
【００４１】
動画像記録制御プログラム７２ｃは、ＣＰＵ７１を動画像記録制御手段として機能させるものである。即ち、動画像記録制御プログラム７２ｃは、データ量削減処理にてデータ量が削減された画像データに基づいて、動画像データ（図３（ａ）参照）を生成して記録させる動画像記録処理に係る機能をＣＰＵ７１に実現させるためのプログラムである。
【００４２】
顔検出プログラム７２ｄは、ＣＰＵ７１を顔検出手段として機能させるものである。即ち、顔検出プログラム７２ｄは、撮像部１により生成された複数の画像フレームの各々から被写体内の顔を逐次検出する顔検出処理の実行に係る機能をＣＰＵ７１に実現させるためのプログラムである。
具体的には、ＣＰＵ７１による顔検出プログラム７２ｄの実行に基づいて、データ量削減処理にて画素数が低減された複数の画像フレームのうち、一の画像フレームについて顔画像探索範囲を画像全体として顔画像探索枠を所定方向に走査して、目、鼻、ロなどに相当する特徴部分（顔パーツ）を特定して、各顔パーツの位置関係から顔であるか否かを判定し、顔であると判定されると当該探索枠領域を顔とみなす。また、所定の画像フレームにて顔が検出されると、次の画像フレームにて、検出された顔の近傍の所定領域を顔画像探索範囲として顔検出する。
【００４３】
主要被写体特定プログラム７２ｅは、ＣＰＵ７１を主要被写体特定手段として機能させるものである。即ち、主要被写体特定プログラム７２ｅは、第１撮像領域Ａ１により生成された画像データに基づいて、被写体内の主要被写体を特定する主要被写体特定処理に係る機能をＣＰＵ７１に実現させるためのプログラムである。具体的には、図２等に示すように、ＣＰＵ７１が主要被写体特定プログラム７２ｅを実行することで、顔検出処理にて検出された顔に基づいて主要被写体として人物Ｈを特定する。
【００４４】
第２撮像領域設定プログラム７２ｆは、ＣＰＵ７１を第２撮像領域設定手段として機能させるものである。即ち、第２撮像領域設定プログラム７２ｆは、動画像記録処理にて動画像の記録の際に、電子撮像部１２の全撮像領域のうち、第１撮像領域Ａ１よりも狭い第２撮像領域Ａ２の位置及び寸法を任意に設定する第２撮像領域設定処理に係る機能をＣＰＵ７１に実現させるためのプログラムである。具体的には、ＣＰＵ７１が第２撮像領域設定プログラム７２ｆを実行することで、主要被写体特定処理にて特定された主要被写体としての人物Ｈの位置及び寸法に対応させて、当該人物Ｈが画角内に存するように第２撮像領域Ａ２の位置及び寸法を設定する。
【００４５】
静止画像記録制御プログラム７２ｇは、ＣＰＵ７１を主要被写体画像記録制御手段として機能させるものである。即ち、静止画像記録制御プログラム７２ｇは、シャッターボタン４１ａの押圧操作に応じた静止画像の記録指示の入力に基づいて、第２撮像領域設定処理にて設定された第２撮像領域Ａ２による主要被写体としての人物Ｈの撮像により生成された静止画像データ（図３（ｂ）参照）を記録させる静止画像記録処理に係る機能をＣＰＵ７１に実現させるためのプログラムである。具体的には、ＣＰＵ７１が静止画像記録制御プログラム７２ｇを実行することで、データ量削減処理が施される前の画像データを画像メモリ１４から読み出して、当該画像データから第２撮像領域Ａ２に対応する画像データを切り出し、圧縮処理を施すことなく静止画像データとして記録媒体５に記録する。
【００４６】
次に、実施形態１の撮像装置１００による動画像記録処理について図４及び図５を参照して説明する。
図４及び図５は、撮像装置１００による動画像記録処理に係る動作の一例を示すフローチャートである。
なお、以下の動画像記録処理にあっては、予めユーザによるモード設定ボタン４１ｂの所定操作に基づいて動画撮影モードに設定されているものとする。また、第１撮像領域設定処理にて電子撮像部１２の全撮像領域が第１撮像領域Ａ１として設定されているものとする。
【００４７】
図４に示すように、撮像部１による被写体の撮像が開始されると、ＣＰＵ７１は、電子撮像部１２により撮像され生成された画像データを画像メモリ１４に一時記憶させるとともに、当該画像データに基づいてスルー画像を画像表示部３２に表示させる（ステップＳ１）。
【００４８】
そして、ＣＰＵ７１は、ユーザによるシャッターボタン４１ａの押圧操作に基づいて動画像の撮影開始が指示されているか否かを判定する（ステップＳ２）。
ここで、動画像の撮影開始が指示されていると判定されると（ステップＳ２；ＹＥＳ）、ＣＰＵ７１は、プログラムメモリ７２内の動画像記録制御プログラム７２ｃを実行して、電子撮像部１２の第１撮像領域（全撮像領域）Ａ１により光電変換されて生成された画像データに基づいて、動画像データを生成して記録させる動画像記録処理を開始する（ステップＳ３）。
この動画像記録処理にあっては、ＣＰＵ７１は、プログラムメモリ７２内のデータ量削減プログラム７２ｂを実行して、第１撮像領域Ａ１による被写体の撮像により生成された画像データに対して間引き処理を施して、所定量のデータを間引いた画像データを作成し（ステップＳ４）、当該画像データに対して所定の動画圧縮処理を施して、当該画像データを圧縮することで（ステップＳ５）、データ量を削減するデータ量削減処理が施された動画像データを生成して記録媒体５に記録させる。
【００４９】
その後、ＣＰＵ７１は、ユーザによる操作部４のズーム倍率変更ボタン（図示略）の所定操作に基づいて光学ズームの倍率変更が指示されているか否かを判定する（ステップＳ６）。ここで、光学ズームの倍率変更が指示されていると判定されると（ステップＳ６；ＹＥＳ）、ＣＰＵ７１は、当該指示に応じて光学ズームの倍率を変更する（ステップＳ７）。
【００５０】
次に、図５に示すように、ＣＰＵ７１は、ユーザによる操作部４のシャッターボタン４１ａの再度の押圧操作に基づいて静止画像の記録が指示されているか否かを判定する（ステップＳ８）。ここで、静止画像の記録が指示されていると判定されると（ステップＳ８；ＹＥＳ）、ＣＰＵ７１は、プログラムメモリ７２内の顔検出プログラム７２ｄを実行して、ステップＳ４にて画素数が低減された画像データに基づいて、被写体内の顔を検出する顔検出処理を行う（ステップＳ９）。続けて、ＣＰＵ７１は、プログラムメモリ７２内の主要被写体特定プログラム７２ｅを実行して、顔検出処理にて検出された顔に基づいて主要被写体として人物Ｈを特定する主要被写体特定処理を行う（ステップＳ１０）。
【００５１】
次に、ＣＰＵ７１は、プログラムメモリ７２内の第２撮像領域設定プログラム７２ｆを実行して、主要被写体特定処理にて特定された人物Ｈの位置及び寸法に対応させて第２撮像領域Ａ２の位置及び寸法を設定する第２撮像領域設定処理を行って、当該第２撮像領域Ａ２に対応する静止画像撮影枠Ｗを画像表示部３２に表示する（ステップＳ１１）。そして、ＣＰＵ７１は、プログラムメモリ７２内の静止画像記録制御プログラム７２ｇを実行して、データ量削減処理が施される前の画像データに基づいて、第２撮像領域設定処理にて設定された第２撮像領域Ａ２による人物Ｈの撮像により生成された静止画像データ（図３（ｂ）参照）を取得して記録媒体５に記録させる静止画像記録処理を行う（ステップＳ１２）。静止画像データを記録する場合には、動画像データを記録する場合と異なり、間引き処理や圧縮処理を施さずに記録する。なお、動画像データを記録する場合よりもデータ量を削減する率が低く、動画像データよりも高品質または高精細の画像を記録することができる範囲内で間引き処理や圧縮処理を施して記録してもよい。
【００５２】
なお、ステップＳ８にて、静止画像の記録が指示されていないと判定されると（ステップＳ８；ＮＯ）、ステップＳ３に移行する。
【００５３】
その後、ＣＰＵ７１は、ユーザによるシャッターボタン４１ａの再度の押圧操作に基づいて動画像の撮影終了が指示されているか否かを判定する（ステップＳ１３）。
ここで、動画像の撮影終了が指示されていないと判定されると（ステップＳ１３；ＮＯ）、ステップＳ３に移行し、一方、動画像の撮影終了が指示されていると判定されると（ステップＳ１３；ＹＥＳ）、動画像記録処理を終了する。
【００５４】
以上のように、実施形態１の撮像装置１００によれば、データ量削減処理にて電子撮像部１２の第１撮像領域（全撮像領域）Ａ１により生成された画像データから所定量のデータを間引くとともに当該画像データを圧縮してデータ量が削減された画像データに基づいて、動画像データを生成して記録することができ、動画像の記録の際に、ユーザによるシャッターボタン４１ａの押圧操作に基づいて、電子撮像部１２の第１撮像領域Ａ１よりも狭い第２撮像領域Ａ２により撮像される被写体内の主要被写体の画像の記録指示をＣＰＵ７１に入力することができ、ＣＰＵ７１は、当該記録指示の入力に基づいて、第２撮像領域Ａ２による主要被写体としての人物Ｈの撮像により生成された静止画像データを記録することができる。
従って、電子撮像部１２の第１撮像領域Ａ１によって、被写体をより広い範囲で大まかに撮影して動画像を記録している最中であっても、記録動作を中断することなく、シャッターボタン４１ａの押圧操作に基づいて、被写体内のより狭い範囲に存する主要被写体の詳細な静止画像データを記録することができる。
また、静止画像データの記録に際して、動画像データよりも高品質または高精細の画像を記録することができるので、再生時において、動画像データだけでは確認できないような細かい部分を静止画像データによって確認することができる。また、間引き処理や圧縮処理などの不可逆変換を施してしまったために動画像データからでは低下した画質を復元することができない場合でも、間引き処理や圧縮処理などが行われていない（または不可逆である度合いの低い）静止画データに基づいてより高品質または高精細の画像データを再現することが可能となる。
また、主要な被写体が撮影に好適な状態になったタイミングでのみ、この主要な被写体部分だけを切り取って記録させることが可能となるので、データ量の削減率の低い高品質または高精細な静止画データを記録する場合であっても、画像データを記録するためのメモリ容量を無駄に消費することがない。
【００５５】
また、電子撮像部１２の全撮像領域の中で第２撮像領域Ａ２の位置及び寸法を任意に設定することができるので、被写体内に存する主要被写体であれば確実に撮影して静止画像データを記録することができる。
このとき、主要被写体としての人物Ｈは、顔検出処理にて検出された顔に基づいて確実に特定することができる。さらに、特定された主要被写体としての人物Ｈの位置及び寸法に対応させて第２撮像領域Ａ２の位置及び寸法を設定することができるので、第２撮像領域Ａ２の画角内に主要被写体としての人物Ｈを確実に収めることができる。
【００５６】
なお、上記実施形態１にあっては、第２撮像領域設定処理にて、主要被写体としての人物Ｈの位置及び寸法に対応させて第２撮像領域Ａ２の位置及び寸法の両方を設定するようにしたが、第２撮像領域設定処理の内容はこれに限られるものではない。例えば、主要被写体としての人物Ｈの位置に対応させて第２撮像領域Ａ２の位置のみを設定するようにしても良いし、人物Ｈの寸法に対応させて第２撮像領域Ａ２の寸法のみを設定するようにしても良い。
【００５７】
［実施形態２］
以下に、実施形態２の撮像装置２００について図６〜図８を参照して説明する。
図６は、本発明を適用した実施形態２の撮像装置２００の概略構成を示すブロック図である。
【００５８】
実施形態２の撮像装置２００は、被写体内の主要被写体を動体解析により追跡し、操作部４の選択決定用ボタン４１ｃの所定操作に基づいて追跡対象を変更可能となっているとともに、当該主要被写体の位置及び寸法に基づいて第２撮像領域Ａ２の位置及び寸法を設定する。
なお、実施形態２の撮像装置２００は、主要被写体の動体解析による追跡及び追跡対象の変更を行う以外の点では上記実施形態１と略同様であるので、同様の構成には同一の符号を付してその説明を省略する。
【００５９】
図６に示すように、プログラムメモリ７２には、第１撮像領域設定プログラム７２ａ、データ量削減プログラム７２ｂ、動画像記録制御プログラム７２ｃ、顔検出プログラム７２ｄ、主要被写体特定プログラム７２ｅ、第２撮像領域設定プログラム７２ｆ、静止画像記録制御プログラム７２ｇに加えて、主要被写体追跡プログラム７２ｈが記憶されている。
【００６０】
主要被写体追跡プログラム７２ｈは、ＣＰＵ７１を主要被写体追跡手段として機能させるものである。即ち、主要被写体追跡プログラム７２ｈは、電子撮像部１２の第１撮像領域Ａ１により生成された複数の画像データに基づいて、主要被写体特定処理にて特定された主要被写体を追跡する主要被写体追跡処理に係る機能をＣＰＵ７１に実現させるためのプログラムである。
具体的には、ＣＰＵ７１が主要被写体追跡プログラム７２ｈを実行することで、隣合う画像フレームのうちの一の画像フレームにて顔検出処理により検出された人物Ｈの顔の座標（顔座標）を取得した後、当該顔座標で囲まれた領域内の撮像対象（顔対応部）を特定する（図７（ａ）参照）。その後、顔対応部の輝度情報や色情報等の画像情報をテンプレートとして、次の画像フレームにて顔座標近傍の所定の動体探索範囲内を所定方向に走査してマッチングを行い、最も近似性の高い部分を特定する（図７（ｂ）参照）。そして、最も近似性が高いと判定された部分の縁部を追跡枠とし、追跡枠の各角部の座標を取得した後、当該角部の座標により顔座標を更新する。さらに追跡枠内の顔対応部の輝度情報や色情報等の画像情報をテンプレートとして更新する。
上記の処理を連続した画像フレームの各々に対して逐次実行することにより、マッチングに用いるテンプレートが更新されていく。これにより、被写体が経時的に変化しても顔対応部を動体として追跡することができる。
【００６１】
そして、ＣＰＵ７１は、第２撮像領域設定プログラム７２ｆを実行することで、第２撮像領域設定処理にて、主要被写体追跡処理にて追跡される主要被写体としての人物Ｈの位置及び寸法に対応させて第２撮像領域Ａ２の位置及び寸法を設定する。
【００６２】
また、選択決定用ボタン４１ｃは、主要被写体特定手段により複数の主要被写体が特定された場合に、これら複数の主要被写体のうち、一の主要被写体の選択を指示する。例えば、選択決定用ボタン４１ｃのカーソルボタンの所定操作に基づいて、複数の主要被写体の中で一の主要被写体を選択することで、静止画像記録処理における撮影対象となる主要被写体を変更することができる。
そして、当該主要被写体の設定指示が、入力回路４２を介して出力されてＣＰＵ７１に入力されると、ＣＰＵ７１は、選択された主要被写体を静止画像記録処理における撮影対象として特定する。
ここで、選択決定用ボタン４１ｃは、主要被写体特定処理にて特定された複数の主要被写体のうち、一の主要被写体の選択指示を入力する選択指示入力手段を構成している。
【００６３】
次に、実施形態２の撮像装置２００による動画像記録処理について図８を参照して説明する。
図８は、撮像装置２００による動画像記録処理に係る動作の一例を示すフローチャートである。
なお、以下の動画像記録処理にあっては、実施形態１の撮像装置１００における動画像記録処理とステップＳ７までの処理は共通であり、その説明は省略するものとする。
【００６４】
ステップＳ２８にて、ＣＰＵ７１は、プログラムメモリ７２内の顔検出プログラム７２ｄを実行して、ステップＳ４にて画素数が低減された画像データに基づいて、被写体内の顔を検出する顔検出処理を行う。続けて、ＣＰＵ７１は、プログラムメモリ７２内の主要被写体特定プログラム７２ｅを実行して、顔検出処理にて検出された顔に基づいて主要被写体として人物Ｈを特定する主要被写体特定処理を行う（ステップＳ２９）。
その後、ＣＰＵ７１は、プログラムメモリ７２内の主要被写体追跡プログラム７２ｈを実行して、主要被写体特定処理にて特定された主要被写体を動体解析により追跡する主要被写体追跡処理を行う（ステップＳ３０）。
【００６５】
その後、ＣＰＵ７１は、ユーザによる操作部４の選択決定用ボタン４１ｃの所定操作に基づいて主要被写体の変更が指示されているか否かを判定する（ステップＳ３１）。ここで、主要被写体の変更が指示されていると判定されると（ステップＳ３１；ＹＥＳ）、ＣＰＵ７１は、変更に係る主要被写体を静止画像記録処理における撮影対象として特定した後（ステップＳ３２）、ステップＳ３０に移行する。
【００６６】
一方、ステップＳ３１にて、主要被写体の変更が指示されていないと判定されると（ステップＳ３１；ＮＯ）、ＣＰＵ７１は、プログラムメモリ７２内の第２撮像領域設定プログラム７２ｆを実行して、主要被写体追跡処理にて追跡されている人物Ｈの位置及び寸法に対応させて第２撮像領域Ａ２の位置及び寸法を設定する第２撮像領域設定処理を行って、当該第２撮像領域Ａ２に対応する静止画像撮影枠Ｗを表示する（ステップＳ３３）。
【００６７】
その後、ＣＰＵ７１は、ユーザによる操作部４の選択決定用ボタン４１ｃの所定操作に基づいて第２撮像領域Ａ２の寸法の変更が指示されているか否かを判定する（ステップＳ３４）。ここで、第２撮像領域Ａ２の寸法の変更が指示されていると判定されると（ステップＳ３４；ＹＥＳ）、ＣＰＵ７１は、当該指示に応じて第２撮像領域Ａ２の寸法を変更する処理を行って、当該第２撮像領域Ａ２に応じて静止画像撮影枠Ｗを表示する（ステップＳ３５）。
【００６８】
次に、ユーザによる操作部４のシャッターボタン４１ａの再度の押圧操作に基づいて静止画像の記録が指示されているか否かを判定する（ステップＳ３６）。ここで、静止画像の記録が指示されていると判定されると（ステップＳ３６；ＹＥＳ）、ＣＰＵ７１は、プログラムメモリ７２内の静止画像記録制御プログラム７２ｇを実行して、データ量削減処理が施される前の画像データに基づいて、第２撮像領域設定処理にて設定された第２撮像領域Ａ２による人物Ｈの撮像により生成された静止画像データを取得して記録媒体５に記録させる静止画像記録処理を行う（ステップＳ３７）。
【００６９】
なお、ステップＳ３４にて、第２撮像領域Ａ２の寸法の変更が指示されていないと判定されると（ステップＳ３４；ＮＯ）、ステップＳ３６に移行する。
また、ステップＳ３６にて、静止画像の記録が指示されていないと判定されると（ステップＳ３６；ＮＯ）、図４のフローチャートにおけるステップＳ３に移行する。
【００７０】
以上のように、実施形態２の撮像装置２００によれば、主要被写体としての人物Ｈを動体解析により追跡して、当該人物Ｈの位置及び寸法に対応させて第２撮像領域Ａ２の位置及び寸法を設定することができるので、第２撮像領域Ａ２の画角内に主要被写体としての人物Ｈを確実に収めることができる。
【００７１】
また、主要被写体特定処理にて、複数の人物Ｈ（主要被写体）が特定された場合には、これらのうち、所望の一の人物Ｈを主要被写体として選択することができるので、所望の人物Ｈを確実に第２撮像領域Ａ２の画角内に収めることができる。
【００７２】
なお、上記実施形態２にあっては、第２撮像領域設定処理にて、主要被写体追跡処理により追跡される主要被写体としての人物Ｈの位置及び寸法に対応させて第２撮像領域Ａ２の位置及び寸法の両方を設定するようにしたが、第２撮像領域設定処理の内容はこれに限られるものではない。例えば、追跡される人物Ｈの位置に対応させて第２撮像領域Ａ２の位置のみを設定するようにしても良いし、人物Ｈの寸法に対応させて第２撮像領域Ａ２の寸法のみを設定するようにしても良い。
【００７３】
また、上記実施形態２にあっては、操作部４の選択決定用ボタン４１ｃの所定操作に基づいて主要被写体の変更（選択）を行うようにしたが、これに限られるものではなく、表示画面にタッチパネルを配設して、タッチパネルの接触位置に応じて主要被写体を選択するような構成としても良い。
【００７４】
なお、本発明は、上記実施形態１及び２に限定されることなく、本発明の趣旨を逸脱しない範囲において、種々の改良並びに設計の変更を行っても良い。
例えば、上記実施形態１及び２にあっては、電子撮像部１２の全撮像領域を第１撮像領域Ａ１として設定するようにしたが、第１撮像領域Ａ１の位置や寸法はこれに限られるものではない。即ち、ＣＰＵ７１による第１撮像領域設定プログラム７２ａの実行に基づいて、全撮像領域のうち、所定の領域を第１撮像領域Ａ１として設定しても良い（図９参照）。これにより、第１撮像領域Ａ１を電子撮像部１２の全撮像領域の中で適宜任意に設定することができる。
また、第１撮像領域Ａ１の寸法が変更された場合には、これに対応して第２撮像領域Ａ２の寸法をより小さく設定してもよい。また、寸法の変更に応じて自動的にデータ量の削減率を変更し、寸法が小さくなるほどデータ量の削減率を低くするようにしてもよい。また、検出される人物Ｈの位置や寸法とは無関係に第２撮像領域Ａ２の位置や寸法を任意に設定してもよい。
【００７５】
さらに、上記実施形態１及び２にあっては、データ量削減処理として間引き処理と圧縮処理の両方を行うようにしたが、何れか一方の処理のみを行うようにしても良い。また、データ量削減処理は、これらに限られるものではなく、第１撮像領域Ａ１による被写体の撮像に基づいて生成された画像データのデータ量を削減することができる処理であれば如何なるものであっても良い。
さらに、データ量削減処理を動画像データに対して施すようにしたが、これに限られるものではなく、電子撮像部１２の第２撮像領域Ａ２による主要被写体の撮像に基づいて生成された静止画像データに対して施すようにしても良い。このとき、静止画像データに対するデータ量削減処理のデータ量削減率は、動画像データに対するデータ量削減率よりも小さくなるように、即ち、静止画像データの方が動画像データよりも高画質になるようにデータ量削減処理を施すのが好ましい。
【００７６】
また、上記実施形態１及び２にあっては、第２撮像領域Ａ２により撮像される主要被写体の画像データの記録指示をシャッターボタン４１ａの押圧操作に基づいて行うようにしたが、これに限られるものではなく、例えば、シャッターボタン４１ａとは異なるボタンのユーザによる押圧操作に基づいて行うようにしても良いし、動画像の記録が開始されてから所定時間経過後に、ＣＰＵ７１の制御下にて自動的に主要被写体の画像データを記録するようにしても良い。
【００７７】
さらに、上記実施形態１及び２にあっては、第２撮像領域Ａ２により撮像される主要被写体の静止画像データを記録するようにしたが、これに限られるものではなく、主要被写体の動画像データを記録するようにしても良い。
【００７８】
また、撮像装置１００、２００の構成は、上記実施形態に例示したものは一例であり、これに限られるものではない。
【００７９】
加えて、上記実施形態１及び２にあっては、データ量削減手段、動画像記録制御手段、主要被写体画像記録制御手段、第１撮像領域設定手段、第２撮像領域設定手段、主要被写体特定手段、顔検出手段、主要被写体追跡手段としての機能を、ＣＰＵ７１によって所定のプログラム等が実行されることにより実現される構成としたが、これに限られるものではなく、例えば、各種機能を実現するためのロジック回路等から構成しても良い。
【図面の簡単な説明】
【００８０】
【図１】本発明を適用した実施形態１の撮像装置の概略構成を示すブロック図である。
【図２】図１の撮像装置の画像表示部に表示された画像の一例を模式的に示す図である。
【図３】図１の撮像装置の電子撮像部の撮像領域の一例を模式的に示す図である。
【図４】図１の撮像装置による動画像記録処理に係る動作の一例を示すフローチャートである。
【図５】図４の動画像記録処理の続きを示すフローチャートである。
【図６】本発明を適用した実施形態２の撮像装置の概略構成を示すブロック図である。
【図７】図６の撮像装置の電子撮像部の撮像領域の一例を模式的に示す図である。
【図８】図６の撮像装置による動画像記録処理に係る動作の一例を示すフローチャートである。
【図９】変形例１の撮像装置の電子撮像部の撮像領域の一例を模式的に示す図である。
【符号の説明】
【００８１】
１００、２００  撮像装置
１      撮像部
１２    電子撮像部（撮像素子）
３      表示部
３２    画像表示部
４      操作部
４１ａ  シャッターボタン（画像記録指示入力手段）
４１ｃ  選択決定用ボタン（選択指示入力手段）
７１    ＣＰＵ（データ量削減手段、動画像記録制御手段、主要被写体画像記録制御手段、第１撮像領域設定手段、第２撮像領域設定手段、主要被写体特定手段、顔検出手段、主要被写体追跡手段）
Ａ１    第１撮像領域
Ａ２    第２撮像領域
【図１】
0005029348.tif 000002
【図２】
0005029348.tif 000003
【図３】
0005029348.tif 000004
【図４】
0005029348.tif 000005
【図５】
0005029348.tif 000006
【図６】
0005029348.tif 000007
【図７】
0005029348.tif 000008
【図８】
0005029348.tif 000009
【図９】
0005029348.tif 000010